(57)【要約】【課題】コレステリック液晶を一体化することによって、ホログラム等ＯＶＤとコレステリック液晶のカラーシフトにより独特な視印性を持たせ、一瞥による判別および偏光フィルムを用いた検証を可能とする偽造防止体および偽造防止体転写箔並びにそれらを用いた偽造防止媒体の提供にある。【解決手段】偽造防止策が必要とされる偽造防止媒体１であって、基材２上の一部分にホログラム等の回折構造層３の部分と、見る角度によって色彩変化を生じるコレステリック液晶層４の部分が一体となり形成され、前記コレステリック液晶層４と基材２の間に光吸収層が設けられている偽造防止媒体１である。【選択図】図２
2007003673.tif 000002
【特許請求の範囲】
【請求項１】
偽造防止策が必要とされる偽造防止媒体であって、少なくとも基材上の一部分に回折構造層部分と、見る角度によって色彩変化を生じるコレステリック液晶層部分が一体となり形成されていることを特徴とする偽造防止媒体。
【請求項２】
前記コレステリック液晶層と基材の間に全面あるいはその一部に光吸収層が設けられていることを特徴とする請求項１記載の偽造防止媒体。
【請求項３】
前記コレステリック液晶層部分あるいは回折構造体層部分が  数字、文字、図形、記号等の少なくとも一つ以上を用いて示すようなパターン状に形成されていることを特徴とする請求項１乃至２のいずれか１項記載の偽造防止媒体。
【請求項４】
上記請求項１乃至３のいずれか１項に記載の偽造防止媒体に使用する偽造防止体であって、透明基材フィルムの一方の面の全面あるいは一部に、見る角度によって色彩変化を生じるコレステリック液晶層が設けられ、他方の面の一部に回折構造層部分、かつその全面に接着層が積層されていることを特徴とする偽造防止体。
【請求項５】
上記請求項１乃至３のいずれか１項に記載の偽造防止媒体に使用する偽造防止体転写箔であって、少なくとも支持体フィルム上の一部分に回折構造層部分と、見る角度によって色彩変化を生じるコレステリック液晶層部分が一体となり形成され、その回折構造層部分とコレステリック液晶層部分に接着層が積層されていることを特徴とする偽造防止体転写箔。
【請求項６】
偽造防止策が必要とされる偽造防止媒体であって、少なくとも物品上の一部分に回折構造層部分と、見る角度によって色彩変化を生じるコレステリック液晶層部分が一体となり形成されていることを特徴とする偽造防止媒体。
【請求項７】
前記コレステリック液晶層と物品の間に全面あるいはその一部に光吸収層が設けられていることを特徴とする請求項６記載の偽造防止媒体。
【請求項８】
前記コレステリック液晶層部分あるいは回折構造体層部分が  数字、文字、図形、記号等の少なくとも一つ以上を用いて示すようなパターン状に形成されていることを特徴とする請求項６乃至７のいずれか１項記載の偽造防止媒体。
【請求項９】
上記請求項６乃至８のいすれか１項記載の偽造防止媒体に使用する偽造防止体であって、透明基材フィルムの一方の面の全面あるいは一部に、見る角度によって色彩変化を生じるコレステリック液晶層が設けられ、他方の面の一部に回折構造層部分、かつその全面に接着層が積層されていることを特徴とする偽造防止体。
【発明の詳細な説明】
【技術分野】
【０００１】
本発明は、偽造防止を必要とする各種情報表示媒体に関するものであり、詳しくは商品券やクレジットカード等の有価証券あるいはブランド品や機器部品のパッケージ等真正さの証明を必要とする物品に形成される偽造防止体、偽造防止体転写箔およびそれら偽造防止体を形成した偽造防止媒体に関するものである。
【背景技術】
【０００２】
近年、偽造防止手段として光の干渉を用いて立体画像や特殊な装飾画像を表現し得る、ホログラムや回折格子、光学特性の異なる薄膜を重ねることにより、見る角度により色の変化（カラーシフト）を生じる多層薄膜のようなＯＶＤ（Ｏｐｔｉｃａｌ（ｌｙ）  Ｖａｒｉａｂｌｅ  Ｄｅｖｉｃｅ）が利用されるようになってきている。これらＯＶＤは高度な製造技術を要すること、独特な視覚効果を有し、一瞥で真偽が判定できることから有効な偽造防止手段としてクレジットカード、有価証券、証明書類等の一部にあるいは全面に形成され使用されている。また最近では、有価証券以外にもスポーツ用品やコンピュータ部品をはじめとする電気製品ソフトウエアー等に貼り付けられ、その製品の真正さを証明する認証シールや、それら商品のパッケージに貼りつけられる封印シールとしても広く使われるようになってきた。
【０００３】
このようにＯＶＤは、偽造が難しく確認が容易な偽造防止手段であるが、実際には、似て非なるものを使用された偽造品を見抜くことができないケースが後を絶たない。即ちＯＶＤ画像をまったく同じにコピーすることは設備面、技術面において非常に難しいが、似た画像であれば、市販のＯＶＤを流用して細工することが可能である。
【０００４】
この問題に対し、コレステリック液晶フィルムにホログラム等ＯＶＤを形成する提案がなされている（例えば、特許文献１参照。）。
【０００５】
以下に、上記先行技術文献を示す。
【特許文献１】特開２０００−８１３０６５号公報（請求項１１）
【発明の開示】
【発明が解決しようとする課題】
【０００６】
しかし、上記ＯＶＤの構成は、コレステリック液晶の偏光性を利用した検証機能を付与されており、偏光フィルムをかざすことによって偽造品と真正品を見分けることが可能であるが、見た目の特徴がホログラム等と同じ効果しか得られぬため、一瞥で偽造品と真正品とを見分けることが不可能であるという問題点があった。
【０００７】
本発明は、かかる従来技術の問題点を解決するものであり、その課題とするところは、角度によってカラーシフトを生じるコレステリック液晶を一体化することによって、ホログラム等ＯＶＤとコレステリック液晶のカラーシフトにより独特な視印性を持たせ、一瞥による判別および偏光フィルムを用いた検証を可能とする偽造防止体および偽造防止体転写箔並びにそれらを用いた偽造防止媒体を提供することにある。
【課題を解決するための手段】
【０００８】
本発明に於いて上記課題を達成するために、まず請求項１の発明では、偽造防止策が必要とされる偽造防止媒体であって、少なくとも基材上の一部分に回折構造層部分と、見る角度によって色彩変化を生じるコレステリック液晶層部分が一体となり形成されているこ
とを特徴とする偽造防止媒体としたものである。
ものである。
【０００９】
また、請求項２の発明では、前記コレステリック液晶層と基材の間に全面あるいはその一部に光吸収層が設けられていることを特徴とする請求項１記載の偽造防止媒体としたものである。
【００１０】
また、請求項３の発明では、前記コレステリック液晶層部分あるいは回折構造体層部分が  数字、文字、図形、記号等の少なくとも一つ以上を用いて示すようなパターン状に形成されていることを特徴とする請求項１乃至２のいずれか１項記載の偽造防止媒体としたものである。
【００１１】
また、請求項４の発明では、上記請求項１乃至３のいずれか１項に記載の偽造防止媒体に使用する偽造防止体であって、透明基材フィルムの一方の面の全面あるいは一部に、見る角度によって色彩変化を生じるコレステリック液晶層が設けられ、他方の面の一部に回折構造層部分、かつその全面に接着層が積層されていることを特徴とする偽造防止体としたものである。
【００１２】
また、請求項５の発明では、上記請求項１乃至３のいずれか１項に記載の偽造防止媒体に使用する偽造防止体転写箔であって、少なくとも支持体フィルム上の一部分に回折構造層部分と、見る角度によって色彩変化を生じるコレステリック液晶層部分が一体となり形成され、その回折構造層部分とコレステリック液晶層部分に接着層が積層されていることを特徴とする偽造防止体転写箔としたものである。
【００１３】
また、請求項６の発明では、偽造防止策が必要とされる偽造防止媒体であって、少なくとも物品上の一部分に回折構造層部分と、見る角度によって色彩変化を生じるコレステリック液晶層部分が一体となり形成されていることを特徴とする偽造防止媒体としたものである。
【００１４】
また、請求項７の発明では、前記コレステリック液晶層と物品の間に全面あるいはその一部に光吸収層が設けられていることを特徴とする請求項６記載の偽造防止媒体としたものである。
【００１５】
また、請求項８の発明では、前記コレステリック液晶層部分あるいは回折構造体層部分が  数字、文字、図形、記号等の少なくとも一つ以上を用いて示すようなパターン状に形成されていることを特徴とする請求項６乃至７のいずれか１項記載の偽造防止媒体としたものである。
【００１６】
また、請求項９の発明では、上記請求項６乃至８のいすれか１項記載の偽造防止媒体に使用する偽造防止体であって、透明基材フィルムの一方の面の全面あるいは一部に、見る角度によって色彩変化を生じるコレステリック液晶層が設けられ、他方の面の一部に回折構造層部分、かつその全面に接着層が積層されていることを特徴とする偽造防止体としたものである。
【発明の効果】
【００１７】
本発明は以上の構成であるから、下記に示す如き効果がある。
【００１８】
即ち、上記請求項１に係る発明によれば、偽造防止策が必要とされる偽造防止媒体において、少なくとも基材上の一部分に回折構造層部分と、見る角度によって色彩変化を生じるコレステリック液晶層部分が一体となり形成されていることによって、コレステリック
液晶のカラーシフトとホログラム等回折構造層の独特な光輝感を同時に確認でき、さらには偏光フィルムを重ねることでコレステリック液晶の色彩変化が観察され、これらにより真正品を識別することを可能としたＩＤカード等偽造防止媒体とすることができる。
【００１９】
また、上記請求項２に係る発明によれば、前記コレステリック液晶層と基材の間に全面あるいはその一部に光吸収層が設けられていることによって、コレステリック液晶層のカラーシフト効果をより鮮明となる偽造防止媒体とすることができる。
【００２０】
また、上記請求項３に係る発明によれば、前記コレステリック液晶層部分あるいは回折構造体層部分が  数字、文字、図形、記号等の少なくとも一つ以上を用いて示すようなパターン状に形成されていることによって、確認・検証が行い易く、一方で、より偽造しにくい偽造防止媒体とすることができる。
【００２１】
また、上記請求項４に係る発明によれば、上記請求項１乃至３のいずれか１項に記載の偽造防止媒体に使用する偽造防止体であって、透明基材フィルムの一方の面の全面あるいは一部に、見る角度によって色彩変化を生じるコレステリック液晶層が設けられ、他方の面の一部に回折構造層部分、かつその全面に接着層が積層されていることによって、接着層を介して基材に貼り付けられた偽造防止媒体を容易に製造できる偽造防止体とすることができる。
【００２２】
また、上記請求項５に係る発明によれば、上記請求項１乃至３のいずれか１項に記載の偽造防止媒体に使用する偽造防止体転写箔であって、少なくとも支持体フィルム上の一部分に回折構造層部分と、見る角度によって色彩変化を生じるコレステリック液晶層部分が一体となり形成され、その回折構造層部分とコレステリック液晶層部分に接着層が積層されていることによって、接着層を介して基材に熱を与え圧着せしめた偽造防止媒体を容易に製造できる偽造防止体転写箔とすることができる。
【００２３】
また、上記請求項６に係る発明によれば、偽造防止策が必要とされる偽造防止媒体であって、少なくとも物品上の一部分に回折構造層部分と、見る角度によって色彩変化を生じるコレステリック液晶層部分が一体となり形成されていることによって、コレステリック液晶のカラーシフトとホログラム等回折構造層の独特な光輝感を同時に確認でき、さらには偏光フィルムを重ねることでコレステリック液晶の色彩変化が観察され、これらにより真正品を識別することを可能としたパッケージ等偽造防止媒体とすることができる。
【００２４】
また、上記請求項７に係る発明によれば、前記コレステリック液晶層と物品の間に全面あるいはその一部に光吸収層が設けられていることことによって、コレステリック液晶層のカラーシフト効果をより鮮明となる偽造防止媒体とすることができる。
【００２５】
また、上記請求項８に係る発明によれば、前記コレステリック液晶層部分あるいは回折構造体層部分が  数字、文字、図形、記号等の少なくとも一つ以上を用いて示すようなパターン状に形成されていることによって、確認・検証が行い易く、一方で、より偽造しにくい偽造防止媒体とすることができる。
【００２６】
さらにまた、上記請求項９に係る発明によれば、上記請求項６乃至８のいすれか１項記載の偽造防止媒体に使用する偽造防止体であって、透明基材フィルムの一方の面の全面あるいは一部に、見る角度によって色彩変化を生じるコレステリック液晶層が設けられ、他方の面の一部に回折構造層部分、かつその全面に接着層が積層されていることによって、接着層を介して物品に貼り付けらる封印シールや証明ステッカー等として使用できる偽造防止体とすることができる。
【発明を実施するための最良の形態】
【００２７】
以下本発明を実施するための最良の形態を図面を用いて詳細に説明する。
【００２８】
図１は、本発明の偽造防止媒体の一実施例を示す正面図であり、図２は、その側断面図である。
【００２９】
本発明の偽造防止媒体１は、例えば、図１および２に示したように、基材２の一部に回折構造層部３およびコレステリック液晶層４を有してなるものである。また、偽造防止の観点から、これらの層は、図１のように絵柄、文字、数字等の特定の情報を有する形状に設けることが好ましい。
【００３０】
図３〜図６は本発明の偽造防止体２０の一実施例を示す断面図であり、図７〜９は本発明の偽造防止体転写箔３０の断面図である。
【００３１】
本発明の偽造防止体２０では、図３〜図６に示すように透明基材フィルム５に、偽造防止体転写箔３０では、図７〜図９に示すように支持体フィルム８にコレステリック液晶層４部および回折構造層３部を設けてなっている。この透明基材フィルム５および支持体フィルム８としては、いずれも透明性が高く、コーティングや蒸着加工等の加工に耐えうることができる素材であれば公知の高分子フィルムが適宜、選択され使用可能である。
【００３２】
上記コレステリック液晶層４として、この層４は白色光の元で美しいカラーシフト効果を示す選択反射性、および円偏光フィルムを介して観察すると、コレステリック液晶層４の円偏光の向きにより、液晶層のからの反射光が遮断あるいは透過するといった円偏光選択性を有しており、目視での検証および偏光フィルムを用いた検証機能を具備した層である。
【００３３】
本発明で用いるコレステリック液晶層４は、コレステリック構造を有するあるいは温度条件でなどでコレステリック構造をとる化合物が用いられ、特に限定されるものではなく公知のコレステリック液晶材料が使用可能であり、液晶材料を塗布した後に、紫外線照射あるいは熱を与え配向せしめ固定する必要があるが、配向手段や固定手段は公知の手段を適宜選択し利用可能である。またその厚みはその特性を得るために０．５μｍ〜２０μｍ程度設けることが好ましい。さらには偽造防止の観点から、図１〜３、５に示すように絵柄や文字といったパターン等で部分的に設け情報を表示することが好ましいが、表面（図中の上部）から観察した際に、コレステリック液晶層４の部分と回折構造層３の部分が同時に観察可能であれば、例えば、図４、６や図８に示すように全面に設けることも可能である（図６の構成の詳細な説明は後述する。）。
【００３４】
一方、転写箔の場合を挙げるならば、図７や図９のように回折構造層３の支持体フィルム８の間、あるいは回折構造層３と接着層６の間に設けることも可能であり、コレステリック液晶層４の部分と回折構造層３の部分が同時に観察可能な位置であれば適宜選択し、形成可能である。
【００３５】
一方、前述した選択反射性の効果をより引き立てるために、図３〜図９に示すように光吸収層７を設けることが好ましい。すなわち、コレステリック液晶層４を透過した光（選択反射される波長以外の光）が基材２上で反射・散乱し、コレステリック液晶層４で選択反射した光に混ざり合うことを防止するために設ける層である。この光吸収層７には光を透過し難く、吸収しやすい黒色インキあるいは黒色に近い色インキを用いて印刷されることが好ましいが、デザインや視印性を考慮し青色、赤色等適宜選択し印刷することが可能である。この光吸収層７もコレステリック液晶層４と同様に偽造防止の観点から、全面に設けるだけでなく絵柄や文字といったのパターン等で設け情報を表示すること好ましい（
図３参照）。また、設ける位置も観察側からみてコレステリック液晶層４の下側にくればいずれの層間に設けてもよく、図３のようにコレステリック液晶層４の下側でもよく、図５のように透明基材フィルム５の下側でもよく、あるいは図６のように回折構造層３の下側に設けてもよく、接着層６を着色し光吸収層７を兼ねることも可能である。これら設ける位置は製造上等の観点から適宜選択して設けることができる。
【００３６】
図３〜図６に示すようなコレステリック液晶層４と回折構造層３を有する偽造防止体２０は、特に図示しないが、それぞれ別の透明基材フィルムに形成したものを粘着剤若しくは接着剤を介して貼り合わせることにより一体化しても良い。例えば、回折構造層を形成した透明基材フィルムの一方の面に接着層を形成し、これにコレステリック液晶層を形成したフィルムのコレステリック液晶層が、前記の接着層面と向かい合うよう重ね合わせ貼り合わせることによって作成される。勿論回折構造部に粘着、接着剤層を形成し、コレステリック液晶層と貼り合わせても良いし、コレステリック液晶層やその支持体に粘着層や接着層を設置しても良い。
【００３７】
さらには、貼り合わせた後、コレステリック液晶層を形成した透明基材フィルム、若しくは回折構造層を形成した透明基材フィルムを剥がし取っても構わない。また、粘着剤、若しくは接着剤として、絵や文字といったパターンで形成しても良く、この場合は回折構造層もしくはコレステリック液晶層を形成した透明基材フィルムの何れかを剥がし取るときに接着剤等の無い部分は透明基材フィルムと共に剥がし取られる。
【００３８】
上記粘着剤または接着剤はフィルムラミネート用に代表される公知のものが使用でき、場合によってはカーボンブラック等を用いて接着剤を着色し、コレステリック液晶層のための光吸収層としても使用可能である。貼り合わせにはロールラミネーターのような公知の装置が使用できる。
【００３９】
また、例えば、図３〜図９に示す回折構造層３は、ホログラムや回折格子等の回折構造体を形成してなる層である。これらホログラムや回折格子は光の干渉を利用した画像であり、立体画像の表現や見る角度により色が変化するカラーシフトやキラキラと輝く独特な光輝感を有する表示体である。その中でホログラム等回折構造体としては、光の干渉縞を微細な凹凸パターンとして平面に記録するレリーフ型や体積方向に干渉縞を記録する体積型が挙げられる。これらの中でも量産性やコストを考慮した場合には、レリーフ型ホログラム（回折格子）が好ましく、一般にもレリーフ型のものが広く利用されており、以降、レリーフ型ホログラム（回折格子）を詳しく説明する。
【００４０】
上記レリーフ型のホログラム（回折格子）は、微細な凹凸パターンからなるレリーフ形成層と、その面にて光が反射する反射層を設ける必要がある。これらを以降、回折構造形成層１１および回折構造効果層１２と称し、詳細に説明する。
【００４１】
上記回折構造形成層１１は、微細な凹凸を有するプレス版にて成形可能であるという性能が要求され、その材質は高分子樹脂が用いられる。
【００４２】
一方、回折構造効果層１２は、描かれた画像の回折効率を高めるため設けられる層であり、レリーフ面を構成する高分子材料と屈折率の異なる材料からなる。それに用いる材料としては、反射効果の高いＡｌ、Ｓｎ、Ｃｒ、Ｎｉ、Ｃｕ、Ａｕ等の金属材料やＴｉＯ２の如き屈折率の高い金属酸化物が挙げられるが、これらに限定されるものではなく公知の材料であれば適宜使用可能である。
【００４３】
また、この回折構造効果層１２は図３〜５のように一面に設けられていても良いが、図６〜９のように部分的に形成することも可能である。その形成手法としては、部分的に回
折構造効果層１２を形成する手法や全面に設けた後に部分的に除去する手法等、公知の手法であれば適宜、選択し形成可能である。
【００４４】
さらには、ホログラムや回折格子の画像技術としては、立体的画像を再現する３Ｄホログラムや回折格子を微小なドットで表現し、高い輝感を与えることが可能な特殊な回折格子（本発明者等はグレーティングイメージと称する）等の撮影技術が挙げられる。最近では回折格子の微小なドットを星型等の特定形状で形成する手法や、マイクロ文字と言われる肉眼では見えない細かな文字を描画する手法、回折格子を使用していながらあたかも写真のように被写体の色彩を忠実に再現する手法、あるいは見る角度でまったく違う複数の画像を表現する手法（本発明者等はチェンジングと称する）等が開発されている。
【００４５】
本発明においては、これらに限定されるものではなく、前述の画像表現の手法は勿論のこと、公知の画像表現の手法であれば適宜利用可能である。
【００４６】
また、この回折構造効果層１２は図３〜５のように一面に設けられていても良いが、図６〜９のように部分的に形成することも可能である。その形成手法としては、部分的に回折構造効果層１２を形成する手法や全面に設けた後に部分的に除去する手法等、公知の手法であれば適宜、選択し形成可能である。
【００４７】
次に、接着層６としては、本発明の偽造防止体を偽造防止媒体となる基材２または物品（図示せず）に接着させる目的で設けられる層である。その材料は粘着剤、接着剤と称される公知の材料が適宜選択し利用可能である。
【００４８】
また、図７〜図９に示すように、本発明の偽造防止体転写箔３０では、本発明の偽造防止体を基材２に接着させた後、支持体フィルム８を剥すために、コレステリック液晶層４あるいは回折構造層３が支持体フィルムから容易に剥がれる必要がある。そのために、支持体フィルムにシリコン樹脂等の離型剤を塗布することや、支持体フィルムから良く剥がれる高分子樹脂を一層設けることも可能である。
【００４９】
以下に、本発明の具体的実施例について説明する。
【実施例１】
【００５０】
図６に示すように、厚み５０μｍの透明ポリエチレンテレフタレート（ＰＥＴ）フィルムから成る透明基材フィルム５に回折構造形成層１１となる高分子樹脂インキを、１５０℃、１０ｓｅｃ間の乾燥後の膜厚が５μｍとなる様に設けた。
【００５１】
次いで、ロールエンボス法によりホログラムレリーフパターンを形成（図示せず）した後、光反射性の回折構造効果層１２として、アルミニウムを真空蒸着法にて５０ｎｍの膜厚となる様に形成した。次に、マスク層（図示せず）として以下の組成物からなるインキをパターン印刷し、乾燥後の膜厚が１μｍとなる様に形成した。次に、上記作成された転写シート（中間品）を、５０℃に加熱された１．５ＮのＮａＯＨ溶液が入った浴槽に１０秒間浸してエッチングした後、０．１ＮのＨＣｌ溶液にて中和し、その後水洗・乾燥工程を経て所望の部分的に形成された回折構造層３を得た。
【００５２】
次に、黒色インキでなる光吸収層５を全面に２μｍ、粘着材料からなる接着層６を２０μｍ、順次塗布した。最後に透明基材フィルム５のもう一方の面にコレステリック液晶インキを５μｍ全面に塗布し、封印シールや認証シールの如き偽造防止体２０を作製した。各層の組成の詳細は以下に示した。
【００５３】
〔透明基材フィルム〕
ＰＥＴ  ５０μｍ
〔回折構造体形成層〕
アクリルポリオール                    …  ８０部
イソシアネート硬化剤                  …  ２０部
〔回折構造体効果層〕
Ａｌ蒸着    ５００Å
〔マスク層〕
塩化ビニル・酢酸ビニル共重合体樹脂    …  １００部
〔光吸収層〕
黒色顔料                              …    ３０部
塩化ビニル・酢酸ビニル共重合体樹脂    …  ７０部
〔接着層〕
アクリル系粘着剤                      …  １００部
〔コレステリック液晶層〕
コレステリック液晶（ポリエステル主鎖型液晶ポリマー）    …  １００部
【実施例２】
【００５４】
図７に示すように、厚み２５μｍの透明ポリエチレンテレフタレート（ＰＥＴ）フィルムから成る支持体フィルム８に、この支持体フィルム８から容易に剥がれる高分子樹脂を１μｍ塗布し（剥離層：図示せず）、コレステリック液晶層４をパターン（図１の「ＴＯＰ」）状に１μｍ塗布した後、回折構造形成層１１を１μｍとなる様に設けた。
【００５５】
次いで、ロールエンボス法によりホログラムレリーフパターンを形成（図示せず）した後、光反射性の回折構造効果層１２として、アルミニウムを真空蒸着法にて５０ｎｍの膜厚となる様に形成した。次に、マスク層（図示せず）として以下の組成物からなるインキをパターン印刷し、乾燥後の膜厚が１μｍとなる様に形成した。次に、上記作成された転写シート（中間品）を、５０℃に加熱された１．５ＮのＮａＯＨ溶液が入った浴槽に１０秒間浸してエッチングした後、０．１ＮのＨＣｌ溶液にて中和し、その後水洗・乾燥工程を経て所望の部分的に形成された回折構造層３を得た。
【００５６】
次に、黒色インキでなる光吸収層７を全面に２μｍ、粘着材料からなる接着層６を３μｍ、順次塗布し、本発明の偽造防止体転写箔３０を作製した。
【００５７】
上記で得られた偽造防止体転写箔３０を、０．８ｍｍ厚の塩化ビニル製の白色カードに重ね、転写機にて１５０℃、０．２ｓｅｃの条件にて圧着させた後、支持体フィルムを剥離し、ＩＤカードの如き偽造防止媒体を得た。
【００５８】
〔支持体フィルム〕
ＰＥＴ  ２５μｍ
〔コレステリック液晶層〕
コレステリック液晶（ポリエステル主鎖型液晶ポリマー）    …  １００部
〔回折構造体形成層〕
アクリルポリオール                    …  ８０部
イソシアネート硬化剤                  …  ２０部
〔回折構造体効果層〕
Ａｌ蒸着                        ５０ｎｍ
〔マスク層〕
塩化ビニル・酢酸ビニル共重合体樹脂    …  １００部
〔光吸収層〕
黒色顔料                              …  ５０部
塩化ビニル・酢酸ビニル共重合体樹脂    …  ５０部
〔接着層〕
感熱接着用アクリル系接着剤            …  ５０部
硫酸バリウム粒子（フィラー）          …  ５０部
上記実施例１の偽造防止体及び実施例２の偽造防止体転写箔が転写された偽造防止媒体のいすれもコレステリック液晶のカラーシフト効果およびホログラムの光輝感を有しており独特の視印性を有していた。さらには、円偏光フィルムを重ねるとコレステリック液晶の色が見えたり、消えたりする効果が確認できた。
【００５９】
以上のように、本発明の偽造防止媒体およびそれに使用される偽造防止体並びに偽造防止体転写箔は、部分的にコレステリック液晶のカラーシフト効果とホログラムや回折格子等の光輝感を有しており独特の視印性を有しているために、一瞥で本物を見分けることが可能であり、さらには、円偏光フィルムを重ね検証することで、コレステリック液晶層の色変化から、真正品を見分けることを可能となり、偽造防止性が高くより判別・確認がしやすいものである。
【図面の簡単な説明】
【００６０】
【図１】本発明の偽造防止媒体の一実施の形態を示す上面図である。
【図２】図１の偽造防止媒体の側断面図である。
【図３】本発明の偽造防止体の一事例を示す側断面図である。
【図４】本発明の偽造防止体の他の事例を示す側断面図である。
【図５】本発明の偽造防止体の他の事例を示す側断面図である。
【図６】本発明の偽造防止体の他の事例を示す側断面図である。
【図７】本発明の偽造防止体転写箔の一事例を示す側断面図である。
【図８】本発明の偽造防止体転写箔の他の事例を示す側断面図である。
【図９】本発明の偽造防止体転写箔の他の事例を示す側断面図である。
【符号の説明】
【００６１】
１‥‥偽造防止媒体
２‥‥基材
３‥‥回折構造層
４‥‥コレステリック液晶層
５‥‥透明基材フィルム
６‥‥接着層
７‥‥光吸収層
８‥‥支持体フィルム
１１‥‥回折構造形成層
１２‥‥回折構造効果層
２０‥‥偽造防止体
３０‥‥偽造防止体転写箔
【図１】
2007003673.tif 000003
【図２】
2007003673.tif 000004
【図３】
2007003673.tif 000005
【図４】
2007003673.tif 000006
【図５】
2007003673.tif 000007
【図６】
2007003673.tif 000008
【図７】
2007003673.tif 000009
【図８】
2007003673.tif 000010
【図９】
2007003673.tif 000011